(57)【要約】【課題】  岩盤質で傾斜が急な法面であっても吹き付け定着ができ、かつ定着させた客土に植物を生育させることができ、吹き付けの際に基盤材がホース内や吹き付け装置の内部に付着残留せず、法面に保持させるための添加材やラス網を必要としないこと。【解決手段】  含水率４０〜５０％とした浄水発生土の解砕物と有機質肥料との混合物である第１材に、法面等に吹き付ける際に添加混合する保水材及び植物種子からなる第２材とで構成し、対象法面の岩質及び法勾配に応じて、浄水発生土の解砕物：有機質肥料：保水材及び植物種子＝５０〜８０容量部：１０〜４５容量部：５〜１０容量部に配合し、混合物の水分割合を４５〜５２％に調整した緑化植生基盤材を、吹き付け装置を用いて法面に３〜８ｃｍ程度の厚さに吹付け植生層を形成する。【選択図】  なし【特許請求の範囲】
【請求項１】
含水率４０〜５０％に脱水乾燥した浄水発生土の解砕物及び有機質肥料の混合物からなる第１材と、法面等に吹き付ける時に、該第１材に添加混合する保水材及び植物種子からなる第２材とで構成し、
吹き付け対象の法面が軟岩面で、法勾配が４０〜４５度の場合は、
脱水した浄水発生土の解砕物：有機質肥料：保水材及び植物種子＝５０〜６０容量部：３０〜４５容量部：５〜１０容量部に配合し、
吹き付け対象の法面が中硬岩面で、法勾配が４５〜５０度の場合は、
脱水した浄水発生土の解砕物：有機質肥料：保水材及び植物種子＝６０〜７０容量部：２０〜３０容量部：５〜１０容量部に配合し、
吹き付け対象の法面が硬岩面で、法勾配が５０〜７０度の場合は、
脱水した浄水発生土の解砕物：有機質肥料：保水材及び植物種子＝７０〜８０容量部：１０〜２５容量部：５〜１０容量部に配合し、
第１材と第２材との混合時に混合物の水分割合が４５〜５２％になるようにした岩盤の露出した法面用の緑化植生基盤材。
【請求項２】
含水率４０〜５０％に脱水乾燥した浄水発生土の解砕物及び有機質肥料の混合物からなる第１材と、法面等に吹き付ける時に、該第１材に添加混合する保水材及び植物種子からなる第２材とを用い、これらについて、
吹き付け対象の法面が軟岩面で、法勾配が４０〜４５度の場合は、
脱水した浄水発生土の解砕物：有機質肥料：保水材及び植物種子＝５０〜６０容量部：３０〜４５容量部：５〜１０容量部に配合し、
吹き付け対象の法面が中硬岩面で、法勾配が４５〜５０度の場合は、
脱水した浄水発生土の解砕物：有機質肥料：保水材及び植物種子＝６０〜７０容量部：２０〜３０容量部：５〜１０容量部に配合し、
吹き付け対象の法面が硬岩面で、法勾配が５０〜７０度の場合は、
脱水した浄水発生土の解砕物：有機質肥料：保水材及び植物種子＝７０〜８０容量部：１０〜２５容量部：５〜１０容量部に配合し、
それぞれこれらの配合割合で浄水発生土の解砕物と有機質肥料とを平均に混合して攪拌機付き吹き付け装置に送り、更にこれらの混合物に保水材及び植物種子と適量の調整水とを配合して含水率を４５〜５２％に調整した上で、該吹き付け装置の吹き付けノズルから対象の法面に吹き付け、
該法面が軟岩面で法勾配が４０〜４５度の場合は、これによる植生層の厚みを３ｃｍ以上に、該法面が中硬岩面で法勾配が４５〜５０度の場合は、これによる植生層の厚みを５ｃｍ以上に、該法面が硬岩面で法勾配が５０〜７０度の場合は、これによる植生層の厚みを８ｃｍ以上に、それぞれ形成させることとした岩盤の露出した法面用の緑化植生基盤材の使用方法。
【発明の詳細な説明】
【技術分野】
【０００１】
本発明は、岩盤の露出した法面に吹き付けて緑化植生層を形成する岩盤の露出した法面用の緑化植生基盤材及びその使用方法に関するものである。
【背景技術】
【０００２】
これまで一般的な法面等の緑化植生層は、主たる用土に肥料や土壌改良材等を配合し、これに植物種子を含ませて水分調整を行った上で吹き付け装置に入れ、圧縮空気によってホースから法面等に吹き付けることによって形成している。
そして吹き付けの際に、必要により浸食防止剤であるセメントや高分子系樹脂を配合したり、または吹き付けの際或いは吹き付けの後に、ラス網を張って緑化植生層を保持するなどの対策を採っている。
また上記用土としては、多くの場合に黒ボク土が用いられて来たが、コスト削減の観点から廃材の有効利用として、浄水場に於いて浄水処理の際に生じる浄水発生土が利用されるようになって来ている。
しかし法面の中でも岩盤の露出したそれに吹き付けて、良好な緑化植生層を形成する緑化植生基盤材の技術については存在していないと思われる。
【０００３】
このような岩盤の露出した法面を対象としたものではないが、一般的な法面等の緑化植生層の形成に関して、浄水発生土を利用した提案としては、例えば、含水率が３０〜６０％の浄水発生土、繊維材、ゼオライト、肥料、種子及び浸食防止剤を混合した緑化基材を圧縮空気で圧送して吹き付けるもの（特許文献１）、また加圧脱水処理された浄水発生土を解砕して、これにバーク堆肥、ピートモス、ヤシ解砕物及び炭を添加し、かつ炭は得られる緑化用植生基盤材中に３容量％以上１５容量％以下となる量を添加し、含水率３５％以上５０％以下に調整するもの（特許文献２）等が提案されている。
【０００４】
しかし以上の特許文献１及び２のいずれにも、岩盤の露出した法面への吹き付けと言う視点からの検討は見当たらず、その問題を解決する手段・要素を持っていない。
【０００５】
これらの特許文献１及び２は、浄水発生土を、岩盤の露出した法面を対象とした緑化植生基盤材として利用するという観点で見ると、検討を要する以下に記す問題点があると考えられる。
１．脱水機で加圧脱水された浄水発生土は、季節的に含水率のバラツキがあり、その形状も板状で大きさも大きくバラツキがあって、そのままでは他の配合材と平均に混ぜ合わせることが困難で、解砕するにも扱い難い。
２．浄水発生土の含水率にバラツキがあるために、吹き付け装置に入れて法面等に吹付ける際に、連続的に安定した吹き付けが出来ない。
３．配合の手間やコストの面から配合材料をもっと単純化すべきである。
４．対象となる法面等の岩質や勾配等の状況によっては、法面に好適に定着させることが出来ず、また吹き付けの際には浸食防止剤であるセメントや高分子系樹脂の配合をする必要が生じたり、吹き付けの前にラス網を張って緑化植生層を保持する必要が生じ、そのため材料費や手間賃等が掛かっている。このようなことをしないで好適に法面に定着させるべきである。
【０００６】
【特許文献１】特開平５−２４７９４３号公報。
【特許文献２】特許第３４３００２６号。
【発明の開示】
【発明が解決しようとする課題】
【０００７】
本発明は、浄水発生土を主体として用いて、岩盤の露出した傾斜の急な法面であっても客土の定着が可能で、かつその定着させた客土に植物を生育させることができ、更に吹き付けの際に基盤材がホース内や吹き付け装置の内部に付着残留せず、法面に保持させるための添加材やラス網等を必要としない岩盤の露出した法面用の緑化植生基盤材の提供及びこれの使用方法の提供することを解決の課題とする。
【課題を解決するための手段】
【０００８】
本発明の１は、含水率４０〜５０％に脱水乾燥した浄水発生土の解砕物及び有機質肥料の混合物からなる第１材と、法面等に吹き付ける時に、該第１材に添加混合する保水材及び植物種子からなる第２材とで構成し、
吹き付け対象の法面が軟岩面で、法勾配が４０〜４５度の場合は、
脱水した浄水発生土の解砕物：有機質肥料：保水材及び植物種子＝５０〜６０容量部：３０〜４５容量部：５〜１０容量部に配合し、
吹き付け対象の法面が中硬岩面で、法勾配が４５〜５０度の場合は、
脱水した浄水発生土の解砕物：有機質肥料：保水材及び植物種子＝６０〜７０容量部：２０〜３０容量部：５〜１０容量部に配合し、
吹き付け対象の法面が硬岩面で、法勾配が５０〜７０度の場合は、
脱水した浄水発生土の解砕物：有機質肥料：保水材及び植物種子＝７０〜８０容量部：１０〜２５容量部：５〜１０容量部に配合し、
第１材と第２材との混合時に混合物の水分割合が４５〜５２％になるようにした岩盤の露出した法面用の緑化植生基盤材である。
【０００９】
本発明の２は、含水率４０〜５０％に脱水乾燥した浄水発生土の解砕物及び有機質肥料の混合物からなる第１材と、法面等に吹き付ける時に、該第１材に添加混合する保水材及び植物種子からなる第２材とを用い、これらについて、
吹き付け対象の法面が軟岩面で、法勾配が４０〜４５度の場合は、
脱水した浄水発生土の解砕物：有機質肥料：保水材及び植物種子＝５０〜６０容量部：３０〜４５容量部：５〜１０容量部に配合し、
吹き付け対象の法面が中硬岩面で、法勾配が４５〜５０度の場合は、
脱水した浄水発生土の解砕物：有機質肥料：保水材及び植物種子＝６０〜７０容量部：２０〜３０容量部：５〜１０容量部に配合し、
吹き付け対象の法面が硬岩面で、法勾配が５０〜７０度の場合は、
脱水した浄水発生土の解砕物：有機質肥料：保水材及び植物種子＝７０〜８０容量部：１０〜２５容量部：５〜１０容量部に配合し、
それぞれこれらの配合割合で浄水発生土の解砕物と有機質肥料とを平均に混合して攪拌機付き吹き付け装置に送り、更にこれらの混合物に保水材及び植物種子と適量の調整水とを配合して含水率を４５〜５２％に調整した上で、該吹き付け装置の吹き付けノズルから対象の法面に吹き付け、
該法面が軟岩面で法勾配が４０〜４５度の場合は、これによる植生層の厚みを３ｃｍ以上に、該法面が中硬岩面で法勾配が４５〜５０度の場合は、これによる植生層の厚みを５ｃｍ以上に、該法面が硬岩面で法勾配が５０〜７０度の場合は、これによる植生層の厚みを８ｃｍ以上に、それぞれ形成させることとした岩盤の露出した法面用の緑化植生基盤材の使用方法である。
【発明の効果】
【００１０】
本発明１の法面用の緑化植生基盤材によれば、施工対象の岩盤質やその法勾配（４０〜７０度）に応じて、浄水発生土と有機質肥料と保水材及び植物種子との配合割合を変え、かつ混合物の水分割合を４５〜５２％に調整することで、砂地盤や亀裂のない岩盤以外であれば、そのような岩盤質の法面に良好に植生層を形成することができる。
【００１１】
また用いる浄水発生土の含水率を４０〜５０％としたので、有機質肥料と混合する際に大きな塊を生ずることが無くなり平均に混合することができ、浄水発生土と有機質肥料との混合物を吹き付け装置に導入する際にも取扱いが容易となる。
【００１２】
また適切な割合の浄水発生土が定着材効果を発揮するので、別個にセメントや高分子樹脂材などの定着材を加える必要がなく、本来廃材となるものを主体に採用し、かつ配合材をでき得る限り整理して単純化したので安価に提供できる。
【００１３】
更に、本発明の１の法面用の緑化植生基盤材によれば、法面にこの緑化植生基盤材を吹き付ける前にラス網を張り付けて保持するような必要が無いので、材料費や手間賃を大幅に削減できる。これは工期短縮にもつながるものである。
【００１４】
本発明２の法面用の緑化植生基盤材の使用方法によれば、法面に吹き付ける際の混合物の含水率を４５〜５２％に調整したので、通常の攪拌機付きの吹き付け装置を用いることで、ホースの内面や吹き付け装置の内部に植生基盤材が付着滞留して作業性に支障を来すようなこともなく安定した吹き付け作業ができる。なお、含水率が５２％を越えると吹き付け装置の内部に植生基盤材が付着滞留し、４５％を下回ると形成した植生層の植物種子の発芽率が低下する。
【００１５】
また岩盤質や法勾配に応じて植生基盤材の配合割合を変えることで、容易に安定した植生層を形成させることができる。
【００１６】
また植生層の形成には、ラス網を用いて保持する必要が無いので、材料費や手間賃を大幅に削減することができるし、工期短縮にも繋がる。
【発明を実施するための最良の形態】
【００１７】
本発明は、岩盤の露出した法面に直接吹き付けて、緑化植生層を形成させる岩盤の露出した法面用の緑化植生基盤材及びその緑化植生基盤材の使用方法であって、この緑化植生基盤材は、脱水乾燥した浄水発生土の解砕物に、有機質肥料と保水材と植物種子とを、対象の法面の岩盤質や勾配に対応させて最適な割合に配合したものである。なお岩盤質としては、軟岩、中硬岩、硬岩のいずれでも、それぞれに亀裂が生じているものであれば対応することが出来る。
【００１８】
前記浄水発生土は、浄水場の浄水処理工程から発生する廃棄物となるものであって、通常、浄水処理工程の脱水機からは、含水率７０〜９０％程度の板状の不定サイズとなって排出される。本発明では、これを収集して天日乾燥し、又は乾燥機に入れて強制乾燥させて、含水率４０〜５０％とし、これを屋根付きのヤードに広げ、扇型の解砕棒を用いて叩いて細かく解砕する。またこの作業には当然解砕機を用いてもよい。
【００１９】
前記浄水発生土は、このような含水率にすることによって、容易に均一な細かい形状のものにすることが可能となり、後工程で有機質肥料を配合する際に、大きな塊を生ずることがなく、また吹き付け装置に導入する際にも極めて作業性が良いものとなる。
また言うまでもないが、天日乾燥ではコストは安いが時間を要することとなり、強制乾燥では加熱によるコスト高とはなるが、雑草の種子や雑菌を取り除くことが出来ると共に短時間に多量に処理することが出来る。
【００２０】
前記有機質肥料としては、どこでも容易に安価に安全に入手できる木皮、木屑、バーク、鋸くずなどを採用し、この中から一種又は複数種を適宜に選択して、これを堆肥化したものを用いる。そのサイズは前記浄水発生土のサイズに見合った大きさに解砕して用いる。またこの有機質肥料は植生層の植物を育成させるために配合するものである。
【００２１】
そして前記浄水発生土と前記有機質肥料とは、多数の実験結果に基づき、処理する法面の岩質と法勾配とに対応させて、次の表１に示すような割合で配合する。
【００２２】
【表１】
2006057358.tif 000002
【００２３】
前記保水材としては、容易かつ安価に入手できるピートモスを採用する。このピートモスは寒冷低湿地で生成した草炭であって、通常は３８〜４２％程度の含水率を有し、植生層に水分を保持させる目的で配合する。
【００２４】
前記植物種子としては、特に限定するものではないが、低灌木の種子、こまつなぎ、やまはぎ、つつじ等の種子を採用することができる。或いは低灌木の種子に、その生育までの間を保持するため芝類の種子を同時に混入するようなことも採用できる。
【００２５】
そして前述のこれらの配合材は、前記有機質肥料は、法面への吹き付け作業を行う前に、予めその適量を前記浄水発生土に配合しておく。また前記保水材及び植物種子は、前記浄水発生土と前記有機質肥料との混合物を吹き付け装置に導入した際に混合し、吹き付け装置に付属している攪拌機を動作させて平均に分散するように配合する。
【００２６】
次にこの岩盤の露出した法面用の緑化植生基盤材の使用方法について説明する。
先ず初めに処理を行う法面の岩質、法勾配及び表面積を調査する。
そしてそのデータを、「岩質と法勾配に対応する浄水発生土と有機質肥料他の配合割合」に関する表１と対比させ、前記浄水発生土と前記有機質肥料と保水材及び種子との配合割合及び必要な容量を算出する。
【００２７】
なお、前記浄水発生土と前記有機質肥料との各所定割合の混合物（第１材）はそれぞれ予め用意しておくこととし、それらから前記調査結果に従って適当なものを選択するのが良い。なおまた該混合物（第１材）は、例えば、屋根付きのヤードに、それぞれ岩質及び法勾配に対応させて必要量の浄水発生土と必要量の前記有機質肥料とを用意し、これらを攪拌用具を用いて十分に混ぜ合わせて均一な混合物とする。ここで該浄水発生土は含水率４０〜５０％に乾燥させ解砕したものを使用する。
また保水材及び種子との混合物（第２材）は予め別に用意しておくものとする。この混合物（第２材）は保水材が大部分を占めることとなる。
【００２８】
第１材である混合物及び第２材である混合物は、法面への吹き付け工事の際に、吹き付け装置の攪拌混合手段中に投入して行う。
前記第１材である混合物を、対象となる法面の岩質及び法勾配に対応する第１材である混合物を選択し、これ及びこれに所定の割合となる混合物（第２材）を攪拌機付き吹き付け装置の攪拌混合手段中に投入し、更に適量の調整水を配合して均一になるように攪拌混合し、得られる混合物を含水率４５〜５２％に調整して緑化植生基盤材とする。
【００２９】
なお緑化植生基盤材をこのような範囲の含水率にすると、吹き付けの際に連続して安定した吹き付けができるようになり、空気や水分だけが吹き出してしまって、ホースの内部や吹き付け装置の内部に緑化植生基盤材が付着滞留してしまうことがなくなり、植生層からの植物の種子の発芽率が許容範囲に保持できる。これに対して、含水率が５２％を越えると吹き付け機械の内部に植生基盤材が付着滞留するようになり、他方、４５％を下回ると形成する植生層の植物種子の発芽率が低下するようになる。
【００３０】
次いでこの緑化植生基盤材を、吹き付け装置に付いている吹き付けホースを通して、処理を計画した法面に、表１に示した所定の植生厚となるように吹き付けて植生層を形成させ、そのまま天日乾燥すればよい。天日乾燥はそのまま放置することにより行う。
ここで植生厚は、軟岩、中硬岩、硬岩と岩質の硬さが増し、法勾配が急になるに従って、３cm以上、５cm以上、８cm以上と厚く形成させるようにする。
【００３１】
また吹き付けの際、或いは吹き付けによって形成した植生層には、これまでのようにラス網を張って植生層を保持する必要はない。前記浄水発生土には、接着材の働きも兼ね備えているからである。
【実施例１】
【００３２】
以下、本発明を実施例によって詳細に説明する。
対象の法面は、セメント製造用の採石場の採石後の崖面で、中硬岩で構成され、横向きに複数の小さな亀裂が生じており、法勾配は概ね４５〜４８度の範囲内である。
【００３３】
先ずこの法面の状況から前述の使用方法に従って、前記表１から配合割合を浄水発生土６０〜７０％、有機質肥料３０〜２０％、保水材及び植物種子５〜１０％と読み取り、更に植生層の植生厚を５ｃｍ以上と読み取って、実作業に於ける配合割合を浄水発生土６８％、有機質肥料２５％、保水材及び植物種子７％、植生厚７ｃｍに設定して作業を開始した。
【００３４】
なおこのとき、有機質肥料としてはバーク堆肥を、保水材としてはピートモスを、植物種子としてはやまつつじの種子を、それぞれ選択して用意した。
【００３５】
この実施例１では、近隣の浄水場からその浄水処理工程の脱水機から排出された浄水発生土をダンプカーで発明者関連の施設敷地内に運び込み、天日乾燥で１０日間乾燥させた後、回転ドラム式の加熱乾燥機に送り含水率を約４５％に乾燥した。そしてこれを解砕機に送り細かく解砕した。
【００３６】
次いで有機質肥料として採用したバーク堆肥を屋根付きのヤード内に広げ、扇型の解砕棒を用いて叩いてほぐした。そして細かく解砕した浄水発生土と、ほぐしたバーク堆肥とを容量換算で、浄水発生土：堆肥＝６８％：２５％の割合に配合して、該屋根付きのヤード内で扇型の攪拌棒を用いて良く混ぜ合わせ第１材である混合物とした。
【００３７】
この第１材である混合物を攪拌機付き吹き付け装置の攪拌混合部に投入し、この第１材である混合物に、容量換算で７％のピートモスとやまつつじの種の混合物（第２材）及び適量の調整水を配合して均一になるように混合し、含水率が５０％となるように調整して得られた混合材を緑化植生基盤材とした。
【００３８】
この緑化植生基盤材を、吹き付け装置に付いているホースを通して、対象の崖である法面に、厚みが７ｃｍとなるように吹き付けて植生層を形成させ、そのまま天日乾燥させて植生層を完成させた。
【実施例２】
【００３９】
対象の法面は、建築用その他の石材のための採石場の跡地の崖面で、岩質が硬岩で構成され横向きに複数の小さな亀裂が生じていて法勾配は概ね６３〜６７度の範囲にある。
【００４０】
先ずこの現場の状況から前述の使用方法に従って、前記表１から配合割合を浄水発生土７０〜８０％、有機質肥料２５〜１０％、保水材及び植物種子５〜１０％と読み取り、更に植生層の植生厚を８ｃｍ以上と読み取って、実作業に於ける配合割合を浄水発生土７５％、有機質肥料１８％、保水材及び植物種子７％、植生厚１０ｃｍに設定して作業を開始した。
【００４１】
また前記有機質肥料としては、バークと鋸くずとを等量に混合したもので堆肥化したものを、保水材としてはピートモスを、植物種子としてやまはぎの種子を、それぞれ選択して用意した。
【００４２】
実施例１と同様にして、近隣の浄水場から浄水発生土を運び込み、同様に乾燥し解砕して、含水率約４２％の浄水発生土を用意した。また有機質肥料を実施例１と同様にほぐして用意した。そしてこれらを容量換算で、浄水発生土：有機質肥料＝７５％：１８％の割合に配合して、実施例１と同様にして良く混ぜ合わせ第１材である混合物とした。
【００４３】
この第１材である混合物を実施例１と同じ攪拌機付き吹き付け装置の攪拌混合部に投入し、この第１材である混合物中に、容量換算で７％のピートモスとやまはぎの種子の混合物（第２材）及び適量の調整水を配合して均一になるように混合し、含水率５０％となるように調整して得られた混合物を緑化植生基盤材とした。
【００４４】
この緑化植生基盤材を、実施例１の場合と同様に、吹き付け装置を用いて、処理を計画した法面に、植生厚が１０ｃｍとなるように吹き付けて植生層を形成させ、そのまま天日乾燥させて植生層を完成させた。
【００４５】
＜実施例に於ける観察＞
実施例１及び実施例２に於いて、緑化植生基盤材を吹き付け装置を用いて法面に吹き付けた際のその内部及びホースの内部への基盤材の付着滞留状態を観察し、更に吹き付けによって形成した植生層の状態と植生層の植物の生育状況を１年間定期的に観察し、それらの観察結果を次の表２にまとめた。
【００４６】
【表２】
2006057358.tif 000003
【００４７】
＜実施例の考察＞
実施例１、実施例２共に、緑化植生基盤材のホースの内部及び吹き付け機械の内部への付着滞留は認められず、岩盤面であり、急傾斜であって、も法面への植生層の定着も良く、植生層の植物の発芽、生育状況も良好で、課題を解決することができた。